(57)【要約】【課題】複数の発光体からの光を単一の検出手段で検出するようにしても、各発光体毎あるいは所望の領域毎の発光強度の検出をすることができる表示装置およびこれら発光体の発光強度を検出する検出方法を提供する。【解決手段】第１及び第２の発光体の発光強度を独立して変えることができる表示装置であって、 前記第１及び第２の発光体の発光強度を検出可能な発光強度検出手段と、前記第１及び第２の発光体のいずれか一方を点灯させ前記第１及び第２の発光体のいずれか他方を消灯させる検出期間を指定する発光時間指定手段と、前記検出期間における前記発光強度検出手段による検出結果に基づいて前記第１及び第２の発光体のうちの前記いずれか一方の発光強度を算出する発光強度算出手段と、を備えたことを特徴とする表示装置が提供される。【選択図】図１
2008046375.tif 000002
【特許請求の範囲】
【請求項１】
第１及び第２の発光体の発光強度を独立して変えることができる表示装置であって、
前記第１及び第２の発光体の発光強度を検出可能な発光強度検出手段と、
前記第１及び第２の発光体のいずれか一方を点灯させ前記第１及び第２の発光体のいずれか他方を消灯させる検出期間を指定する発光時間指定手段と、
前記検出期間における前記発光強度検出手段による検出結果に基づいて前記第１及び第２の発光体のうちの前記いずれか一方の発光強度を算出する発光強度算出手段と、
を備えたことを特徴とする表示装置。
【請求項２】
前記発光時間指定手段は、前記第１及び第２の発光体を同時に点灯すべき点灯区間と、前記第１及び第２の発光体を同時に消灯すべき消灯区間と、を繰り返し設定するとともに、前記点灯区間ごとに前記検出期間を順次ずらして指定することを特徴とする請求項１記載の表示装置。
【請求項３】
異なる前記検出期間における検出値の間を補完する発光強度補完手段をさらに備えたことを特徴とする請求項２記載の表示装置。
【請求項４】
第１及び第２の発光体の発光強度を独立して変えることができる表示装置における前記発光体の発光強度を検出する検出方法であって、
前記第１及び第２の発光体のいずれか一方を点灯させ前記第１及び第２の発光体のいずれか他方を消灯させ、前記第１及び第２の発光体の発光強度を検出可能な発光強度検出手段により前記第１及び第２の発光体のうちの前記いずれか一方の発光強度を検出することを特徴とする検出方法。
【請求項５】
前記第１及び第２の発光体を同時に点灯すべき点灯区間と、前記第１及び第２の発光体を同時に消灯すべき消灯区間と、を繰り返し設定するとともに、前記点灯区間ごとに前記検出期間を順次ずらして検出することを特徴とする請求項３記載の検出方法。
【請求項６】
異なる前記検出期間における検出値の間を補完することを特徴とする請求項５記載の検出方法。
【発明の詳細な説明】
【技術分野】
【０００１】
本発明は、複数の発光体を備える表示装置及びこれら発光体の発光強度を検出する検出方法に関する。
【背景技術】
【０００２】
近年、携帯電話、テレビ、各種電子機器のモニターなどの表示装置として、液晶表示装置などのフラットパネルディスプレイが用いられるようになっている。そして、この液晶表示装置などの表示パネルに光を供給する機構として、バックライトユニットが用いられている。
【０００３】
バックライトユニットは、表示パネルの背面に向けて光を照射する面状の光源であり、蛍光ランプや発光ダイオードなどの発光体と、その発光体の光束を表示パネルに照射するために、面状の光束に変換する導光板などの光路変換手段とを備えている。特に近年は、小型、薄型化、長寿命化などを目的として、発光ダイオードを発光体として用いたものが広く使用されるようになってきている。
【０００４】
このバックライトユニットの駆動方式としては、Ｒ（赤）、Ｇ（緑）、Ｂ（青）の３色の発光体を同時点灯して白色光を合成し、それをＲ（赤）、Ｇ（緑）、Ｂ（青）の３色のカラーフィルタを介して表示パネルの前方に照射することでフルカラー表示を行うカラーフィルタ方式が一般的である。
【０００５】
ここで、表示装置においては、表示パネル面の色度を一定に保ったり調整したりする必要が生ずる。そのため、複数の発光体の発光強度を検出し、その検出結果に基づいて発光強度の制御を行い、表示パネル面の色度を一定に保ったり調整したりする技術が提案されている。（例えば、特許文献１参照）
しかしながら、特許文献１に開示されているような技術では、複数の発光体からの光が合成されたものを単一の検出手段で検出するようにしているため、発光体毎あるいは所望の領域毎の発光強度の検出をすることができなかった。
【特許文献１】特開２００５−１６４７１０号公報
【発明の開示】
【発明が解決しようとする課題】
【０００６】
本発明は、複数の発光体からの光を単一の検出手段で検出するようにしても、各発光体毎あるいは所望の領域毎の発光強度の検出をすることができる表示装置およびこれら発光体の発光強度を検出する検出方法を提供する。
【課題を解決するための手段】
【０００７】
本発明の一態様によれば、第１及び第２の発光体の発光強度を独立して変えることができる表示装置であって、 前記第１及び第２の発光体の発光強度を検出可能な発光強度検出手段と、前記第１及び第２の発光体のいずれか一方を点灯させ前記第１及び第２の発光体のいずれか他方を消灯させる検出期間を指定する発光時間指定手段と、前記検出期間における前記発光強度検出手段による検出結果に基づいて前記第１及び第２の発光体のうちの前記いずれか一方の発光強度を算出する発光強度算出手段と、を備えたことを特徴とする表示装置が提供される。
【０００８】
また、本発明の他の一態様によれば、第１及び第２の発光体の発光強度を独立して変えることができる表示装置における前記発光体の発光強度を検出する検出方法であって、前記第１及び第２の発光体のいずれか一方を点灯させ前記第１及び第２の発光体のいずれか他方を消灯させ、前記第１及び第２の発光体の発光強度を検出可能な発光強度検出手段により前記第１及び第２の発光体のうちの前記いずれか一方の発光強度を検出することを特徴とする検出方法が提供される。
【発明の効果】
【０００９】
本発明によれば、複数の発光体からの光を単一の検出手段で検出するようにしても、各発光体毎あるいは所望の領域毎の発光強度の検出をすることができる表示装置および検出方法が提供される。
【発明を実施するための最良の形態】
【００１０】
以下、図面を参照しつつ、本発明の実施形態について説明する。
【００１１】
図１は、第１の実施形態に係る表示装置の色度・輝度調整手段を説明するための構成図である。
【００１２】
図１に示すように、色度・輝度調整手段１は、発光強度検出手段２、Ａ／Ｄ（Analog/Digital）変換手段３、発光時間指定手段４、発光強度記憶手段５、発光強度算出手段６、入力手段７、ＲＧＢ（赤・緑・青）変換手段８、発光強度制御手段９、発光出力手段１０を備えている。
【００１３】
発光強度検出手段２は、Ｒ（赤）、Ｇ（緑）、Ｂ（青）の各波長領域に対して、異なる分光感度を有しており、その受光部に照射された光の各波長成分の発光強度の変化に応じた信号（輝度Ｒ、輝度Ｇ、輝度Ｂ）を出力する。そして、出力信号（Ｒ輝度、Ｇ輝度、Ｂ輝度）は、Ａ／Ｄ変換手段３に送られる。発光強度検出手段２は、発光出力手段１０によって点灯される発光体からの照射エネルギーを、検知可能な位置に設けられる。発光強度検出手段２の具体例としては、カラーセンサなどを例示することができる。また、発光強度検出手段２からの各出力を図示しない信号増幅手段によって、所望の利得になるように増幅させるようにしてもよい。
【００１４】
Ａ／Ｄ変換手段３は、発光強度検出手段２からのアナログ出力信号を所望の分解能を有するデジタル信号に変換する機能を有する。変換されたデジタル信号（発光強度）は、発光強度記憶手段５に送られる。
発光時間指定手段４は、所望の発光体の点灯または消灯の条件（タイミング、点灯・消灯時間の長さなど）を指定する機能を有する。ここで、点灯または消灯は、複数の発光体の内の各発光体毎、所望の領域毎など任意に指定をすることができる。尚、指定される時間の長さやタイミングは、予め画一的に決められているものであっても、任意に設定が可能なものであってもよい。発光時間指定手段４からの情報（点灯・消灯のタイミング、点灯・消灯時間の長さ、対象となる発光体や領域の指定など）は、発光強度記憶手段５と発光強度制御手段９に送られる。
【００１５】
発光強度記憶手段５は、発光強度検出手段２により検出されＡ／Ｄ変換手段３で変換された発光強度を記憶する機能を有する。この場合、発光時間指定手段４からの情報により一部の発光体が消灯するため、記憶される発光強度は残りの点灯している発光体の発光強度となる。そのため、検出された発光強度とともに、どの発光体が点灯していたのかも一緒に記憶される。記憶された情報は、発光強度算出手段６に送られる。
【００１６】
発光強度算出手段６は、発光強度記憶手段５に記憶されている発光強度に基づいて、各発光体毎あるいは所望の領域毎の発光強度を算出する機能を有する。算出された発光強度は発光強度制御手段９に送られる。
【００１７】
入力手段７は、所望の色度・輝度の表示をさせるために、色度図上の色度図座標Cx、Cyおよび輝度Ｙを制御指令値として入力するためのものである。入力は、使用者が手動で行うものであっても、図示しない指令手段から自動的に送信されてくるようなものであってもよい。入力されたこれらの値は、Cx制御指令値、Cy制御指令値、Ｙ制御指令値として、ＲＧＢ（赤・緑・青）変換手段８に送られる。
【００１８】
ＲＧＢ（赤・緑・青）変換手段８は、入力手段７で設定された制御指令値（色度図座標Cx、Cyと輝度Ｙ）を、Ｒ（赤）、Ｇ（緑）、Ｂ（青）の各輝度指令値に変換する機能を有する。変換されたＲ（赤）、Ｇ（緑）、Ｂ（青）の各輝度指令値は、発光強度制御手段９に送られる。
【００１９】
この時、Ｒ（赤）、Ｇ（緑）、Ｂ（青）の各輝度指令値への変換は、以下の式（１）〜（３）に基づいて行われる。
【００２０】
【数１】
2008046375.tif 000003
【００２１】
【数２】
2008046375.tif 000004
【００２２】
【数３】
2008046375.tif 000005
【００２３】
ここで、Cx：色度図座標Cxの指令値、Cy：色度図座標Cyの指令値、Ｙ ：輝度指令値、Ｘ、Ｚ ：上記Ｙを除いた残りの三刺激値、Ｒ、Ｇ、Ｂ：各色発光体の発光強度指令値、a11〜a33：変換定数、である。
【００２４】
尚、a11〜a33の変換定数は、発光強度検出手段２の検出特性誤差を補正するためのものである。具体的には、発光強度検出手段２を使って検出した実際の三刺激値（Ｘ、Ｙ、Ｚ）を（３）の式の行列で近似し、理想的な三刺激値との誤差が最小となるようなa11〜a33までの９つの変換定数を算出して求める。
【００２５】
発光強度制御手段９は、ＲＧＢ（赤・緑・青）変換手段８により変換され送られてくるＲＧＢの各輝度指令値と、発光強度検出手段２で検出されＡ／Ｄ変換手段３、発光強度記憶手段５、発光強度算出手段６を介して送られてくる値とを比較し、検出された値が輝度指令値に近づくように発光出力手段１０の出力を制御する機能を有する。また、発光時間指定手段４から送られてくる情報に基づいて、指定された発光体の点灯または消灯を行うように発光出力手段１０の出力を制御する機能をも有する。この制御信号（Ｒ制御信号、Ｇ制御信号、Ｂ制御信号）は発光出力手段１０に送られる。
【００２６】
発光出力手段１０は、発光強度制御手段９からの制御指令に基づいて、各発光体の発光強度の調整と点灯・消灯などを行う機能を有する。
【００２７】
次に、色度・輝度調整手段１の作用を説明する前に、各発光体毎あるいは所望の領域毎の発光強度の検出について説明する。  
図２は、図１に例示した色度・輝度調整手段１を設けることができる表示装置を表す模式図である。すなわち、本具体例の液晶表示装置１６は、Ｒ（赤）、Ｇ（緑）、Ｂ（青）の３色の発光ダイオードを同時点灯させてフルカラー表示を行うカラーフィルタ方式の液晶表示装置である。
図２に示すように、液晶表示装置１６は、色度・輝度調整手段１と、液晶パネル１７と、バックライトユニット１８と、を備える。液晶パネル１７は、バックライトユニット１８の上面に設けられている。
【００２８】
一般にバックライトユニットとしては、導光板２０の端面に発光体を設けたサイドライト型と、液晶パネルの背面に対向してひとつまたは複数の発光体を設けた直下型と、があるが、図２に示したものはサイドライト型である。
【００２９】
バックライトユニット１８は、導光板２０、光源２１、ライトガイド２３、入光プリズム２４、反射板２５、を備えている。また、光源２１には、複数のＲ（赤）、Ｇ（緑）、Ｂ（青）の発光ダイオード（発光体）２２が線状に並べられている。導光板２０は適宜分割され、隣接する導光板２０同士の光が干渉しないように分割面には図示しない遮光材が設けられている。また、導光板２０の入り口付近にはライトガイド２３が設けられ、隣接する導光板２０に向かう光が入光しないようになっている。
【００３０】
各導光板２０には、発光強度検出手段２が設けられている。発光強度検出手段２を設ける位置は、導光板２０の表面や内部など適宜選択することができる。尚、両端の発光ダイオード（発光体）２２からの距離のバランスを考慮すれば、各導光板２０の中央部付近に発光強度検出手段２を設けることが好ましい。
【００３１】
これら発光ダイオード（発光体）２２は、色度・輝度調整手段１に設けられている発光出力手段１０に接続されている。そして、発光強度制御手段９により発光出力手段１０を制御して、通電電流値の制御や、点灯と消灯とを数１０Hz〜数１０ｋHz程度の周期で切り替える点灯比率制御を行って、Ｒ（赤）、Ｇ（緑）、Ｂ（青）の発光強度を独立に制御することができる。
発光ダイオード（発光体）２２から放射された光は、入光プリズム２４を介して導光板２０に導かれる。導光板２０の中を拡散されながら進行した光は、液晶パネル１７に入射し、カラー画像として表示される。尚、カラーフィルタ方式の場合、Ｒ（赤）、Ｇ（緑）、Ｂ（青）の発光ダイオードは同時点灯され、導光板２０内で混色され白色光となる。この白色光が液晶パネル１７に設けられたカラーフィルタを透過することによりＲ（赤）、Ｇ（緑）、Ｂ（青）の光となる。
本発明によれば、導光板２０の右端、左端の発光体毎の発光強度の検出をすることができる。 そのため、左右の発光体毎の制御ができ、発光体の製造誤差や経年変化などによる発光強度のばらつきがあっても個別的に調整をすることが可能となる。 
すなわち、本具体例の各導光板２０において、発光強度検出手段２により発光体の発光強度を検出しようとすると、その検出値は、左右両端に設けられた発光体の発光強度の合算値となる。
【００３２】
図３は、左右両端に設けられた発光体を同時に点灯させる場合の発光強度の検出値を説明するための模式グラフ図である。尚、左右の発光体の発光強度は等しいものとしている。図３（ａ）の模式グラフ図は、右端の発光体の点灯タイミングを示している。図３（ｂ）の模式グラフ図は、左端の発光体の点灯タイミングを示している。図３（ｃ）の模式グラフ図は、発光強度検出手段２により検出された発光強度を示している。また、図中の区間Ｌは点灯時間の区間、区間Ｄは消灯時間の区間を示している。具体的には、区間Ｌと区間Ｄの合計は、５ミリ秒〜１６ミリ秒程度とすることができる。尚、図３（ｃ）に表したように発光強度が時間とともに低下するのは、発光体の温度特性によるものである。
【００３３】
このように左右の発光体を同時点灯させる場合は、左右の発光体毎の発光強度の検出ができず、それぞれの検出値に基づいた左右の発光体の個別制御もできないことになる。その結果、左右の各発光体に製造誤差による発光強度のばらつきや、経年変化による発光強度のばらつきなどがあっても、それらを個別的に調整することができず、表示画面の輝度に分布が生じたり色ずれが生じたりして、表示品質が著しく低下することとなる。尚、この時の発光強度の検出値は、図３（ｃ）に示すように、左右の発光体の発光強度の合算値となる。
【００３４】
このような問題に対し、各発光体毎に専用の発光強度検出手段２を設けるようにすることも考えられる。しかし、そのようにすれば色度・輝度調整手段１が複雑化、大型化、高コスト化するという新たな問題が生じることになる。
【００３５】
本発明者は、検討の結果、単一の発光強度検出手段２で検出をする場合においても、点灯時間を分割して各発光体の点灯のタイミングを変えれば、各発光体毎あるいは所望の領域毎の発光強度の検出をすることができるとの知見を得た。
【００３６】
図４は、本実施形態の第１の具体例を例示するための模式グラフ図である。図４（ａ）の模式グラフ図は、導光板２０の右端の発光体の点灯タイミングを示している。図４（ｂ）の模式グラフ図は、導光板２０の左端の発光体の点灯タイミングを示している。図４（ｃ）及び（ｄ）の模式グラフ図は、発光強度検出手段２による検出値である。図４（ｅ）の模式グラフ図は、発光強度検出手段２により検出された右端の発光体の発光強度の測定値を示している。図４（ｆ）の模式グラフ図は、左端の発光体の発光強度の測定値を示している。
【００３７】
本具体例においては、図４（ａ）、（ｂ）に示すように、発光体の点灯時間の区間Ｌを８等分に分割し、左右の発光体のうち一方が点灯している間は、他方は消灯していることとしている。そのため、左右の発光体が同時点灯することはなく、ひとつの発光強度検出手段２により左右の発光体の発光強度を別々に検出することができる。すなわち、例えば右端の発光体が点灯し、左端の発光体が消灯している時は、右端の発光体の発光強度を検出可能な検出期間となる。
【００３８】
発光強度検出手段２の光検出部（光センサなど）が左右の発光体から等価な位置にあり、また左右の発光体の発光強度が同じであれば、図４（ｃ）に表したように、発光強度の測定値は略連続的な単一の検出曲線を描く。一方、左右の発光体の発光強度が異なる場合、図４（ｄ）に表したように、左右の発光体が点灯するタイミングに対応して発光強度の測定値は上下する。
【００３９】
図４（ｃ）に表した場合も図４（ｄ）に表した場合も、左右の発光体の発光強度を交互に測定しているのであるから、分割された点灯区間における発光強度の検出値毎に分解すれば、図４（ｅ）及び（ｆ）に示したような左右の発光体毎の発光強度検出値を求めることができる。尚、点灯時間の区間Ｌ全体にわたって検出をするのは、前述した温度特性などによる発光強度の変動を考慮するためである。ただし、図４（ａ）及び（ｂ）に表したようにパルス状に点灯させた場合の区間Ｌにおける発光強度の時間変化は、連続点灯させた場合とは異なる場合も多いと考えられる。すなわち、区間Ｌのあいだ連続点灯させた場合には、発光体の温度が連続的に上昇するために、発光強度の検出値は図３（ｃ）に例示したような減衰特性を示す。一方、図４（ａ）及び（ｂ）に表したようにパルス点灯させた場合には、発光体の温度の上昇は相対的に緩やかになることもあると考えられる。そのような場合には、区間Ｌの全体でみた時の発光強度の減衰特性も緩やかになると考えられる。また、パルス的に消灯した後に点灯した時の発光強度は、消灯する直前の発光強度よりも高い場合もあると考えられる。ただし、これらの場合でも、本実施形態によれば、左右の発光体の発光強度を別々に検出できることに変わりはない。
【００４０】
図５は、発光体の発光強度の減衰がない場合を例示する模式グラフ図である。図５（ａ）〜図５（ｆ）は、それぞれ図４（ａ）〜（ｆ）に対応する。  
発光体の減衰がない場合には、図５（ｃ）または（ｄ）に表したように、発光強度検出手段２により検出される発光強度の値は減衰せず、これを分解することにより、図５（ｅ）及び（ｆ）に表したように、左右の発光体のそれぞれについて、高さが一定のパルス状の発光強度検出値が得られる。
【００４１】
ところで、図４及び図５に例示した具体例においては、点灯時間である区間Ｌの半分の時間を消灯時間に振り分けることになる。その結果、図４及び図５に示すように、発光強度の合算値は左右同時点灯の場合（図４及び図５において一点鎖線で表した）の約５０％となり、表示画面がその分だけ暗くなる。このような問題に対しては、発光強度の検出を常時行うのではなく特定の期間に行うようにすることで解決することができる。例えば、表示装置の起動時や使用者が指定した期間など、画面が暗くなることに対する影響が少ない時に検出を行うようにすればよい。
【００４２】
本発明者は、さらなる検討の結果、複数の区間Ｌにわたって消灯時間をずらしながら検出を行えば、画面が暗くなることを抑制し、表示装置の使用時にも発光強度の検出ができるとの知見を得た。
【００４３】
図６及び図７は、本発明の第２の具体例を説明するための模式グラフ図である。  
すなわち、図６（ａ）及び図７（ａ）の模式グラフ図は、右端の発光体の点灯タイミングを示している。図６（ｂ）及び図７（ｂ）の模式グラフ図は、左端の発光体の点灯タイミングを示している。
【００４４】
そして、図６（ｃ）、（ｄ）及び図７（ｃ）、（ｄ）の模式グラフ図は、発光強度検出手段２による発光強度の検出値である。この検出された発光強度が、表示画面の発光強度となる。ここで、図６（ｃ）及び図７（ｃ）は、左右の発光体の発光強度が同一である場合を表し、図６（ｄ）及び図７（ｄ）は、右端の発光体に比べて左端の発光体の発光強度が低い場合を表す。これらいずれの場合も、左右の発光体の発光強度を別々に検出しているので、その結果を時間毎に分割して抽出すれば、左右の発光体の発光強度をそれぞれ検出できる。すなわち、例えば右端の発光体が点灯し、左端の発光体が消灯している時は、右端の発光体の発光強度を検出可能な検出期間となる。これとは逆に左端の発光体が点灯し、右端の発光体が消灯している時は、左端の発光体の発光強度を検出可能な検出期間となる。
【００４５】
図７（ｅ）の模式グラフ図は、このようにして得られた右端の発光体の発光強度の検出値を示している。また、図７（ｆ）の模式グラフ図は、同様にして得られた左端の発光体の発光強度の検出値を示している。
【００４６】
本具体例においては、図６（ａ）、（ｂ）、図７（ａ）、（ｂ）に示すように、各点灯時間の区間Ｌ１〜Ｌ４にわたって、そのタイミングをずらしながらそれぞれ１回の消灯時間を設けるようにしている。そのため、１つの発光体についてみると、消灯時間は点灯時間の１／８（１２．５％）で済むことになる。その結果、合算された発光強度も図６（ｃ）、図７（ｃ）に示すように、同時点灯時の場合の約８７．５％となり発光強度の低下を抑えることができる。
【００４７】
また、本具体例においては、区間Ｌ１〜Ｌ４のそれぞれにおいてまず左端の発光体を消灯させ、これに続いて右端の発光体を消灯させることにより、それぞれの発光体からの発光強度を図７（ｅ）及び（ｆ）に表したように検出している。その後、区間Ｌ１〜Ｌ４のそれぞれにおいて、順番を逆転させ、まず右端の発光体を消灯させた後に左端の発光体を消灯させることにより、左端の発光体と右端の発光体の発光強度をそれぞれ測定して、図７（ｅ）及び（ｆ）に表した検出結果に加算すれば、右端と左端の発光体のそれぞれについて連続的な検出値を得ることも可能である。このような検出値の格納は、発光強度記憶手段５において実行可能である。
【００４８】
なお、本具体例においても、区間Ｌ１〜Ｌ４のそれぞれにおいて温度変化により発光体の発光強度が漸減する場合を例示したが、区間Ｌの途中でパルス的に消灯した後の発光強度については、消灯の直前の発光強度よりも高くなる場合もある。ただし、このような場合でも、本具体例によれば、左右の発光体の発光強度をそれぞれ検出することができることに変わりはない。図５に関して前述したように、発光体の発光強度に減衰がない場合にも、本具体例を同様に適用できる。
【００４９】
ここで、図６及び図７に表した具体例においては、区間Ｌ１〜Ｌ４のそれぞれにおいて、左右の発光体をそれぞれ１／８の時間だけ消灯させているが、本発明はこれには限定されない。すなわち、消灯する時間を短くすれば、発光強度の低下をより少なくすることができる。例えば、区間Ｌ１〜Ｌ４のそれぞれの長さの１０００分の１の時間だけそれぞれの発光体を消灯させることとすると、発光強度の低下も１０００分の１に抑制できる。ただし、消灯時間を短くすると、それだけ発光強度の検出時間も短くなる。そのため、それぞれの発光体を消灯させる時間や区間の数は、検出の信頼性や発光強度検出の必要性などから適宜決定することが好ましい。また、発光強度記憶手段５において検出値を格納し、適宜加算することにより、検出の信頼性を高めることもできる。
【００５０】
以上説明したように、第２具体例によれば、検出時における発光強度の低下（表示画面の暗化）を抑えることができるので、発光強度の検出を常時行うことが可能となる。  次に、図１に戻って色度・輝度調整手段１の作用について説明する。  
まず、入力手段７に、色度図座標Cx、Cyおよび輝度Ｙが制御指令値として入力される。入力された色度図座標Cx、Cyおよび輝度Ｙの制御指令値は、ＲＧＢ（赤・緑・青）変換手段８に送られる。  
次に、ＲＧＢ（赤・緑・青）変換手段８において、送られてきた色度図座標Cx、Cyおよび輝度Ｙの制御指令値が、前述の（１）〜（３）の式に基づき、Ｒ（赤）、Ｇ（緑）、Ｂ（青）の各輝度指令値へ変換される。
【００５１】
一方、発光時間指定手段４からの情報に基づき、発光強度制御手段９は指定された発光体の点灯または消灯を行う。この時の発光体の点灯または消灯のタイミングや時間の長さなどは図３や図４で説明したとおりである。
【００５２】
このようにして点灯された発光体の発光強度が発光強度検出手段２によりが検出される。尚、検出はＲ（赤）、Ｇ（緑）、Ｂ（青）毎に行われる。
【００５３】
次に、検出した検出値はＡ／Ｄ変換手段３に送られ、デジタル信号に変換される。
【００５４】
デジタル信号に変換された検出値は、検出対象発光体の情報として点灯または消灯のタイミングや時間の長さとともに発光強度記憶手段５に記憶される。尚、検出値以外の情報は発光時間指定手段４から送られてくる。
【００５５】
１回の検出が終了すると、発光強度記憶手段５に記憶されていた情報が発光強度算出手段６に送られる。発光強度算出手段６では、前述したように記憶されていた検出値を加え合わせるようにして算出して、各発光体毎あるいは所望の領域毎の発光強度（検出値）が求められる。求められた発光強度（検出値）は、発光強度制御手段９に送られる。
【００５６】
発光強度制御手段９において、ＲＧＢ（赤・緑・青）変換手段８により変換された輝度指令値と、発光強度算出手段６から送られてきた検出値とが比較され、検出値が輝度指令値に近づくよう発光体への出力が制御される。この時、発光強度検出手段２により発光体の各輝度を再度検出して、前述の手順を繰り返す様にすることも出来る。そのようにすれば、調整の精度を高くすることができる。
【００５７】
図８は、本発明の第２の実施形態に係る表示装置の色度・輝度調整手段を説明するための構成図である。  
図８に示すように、色度・輝度調整手段１１は、発光強度検出手段２、Ａ／Ｄ（Analog/Digital）変換手段３、発光時間指定手段４、発光強度記憶手段５、発光強度算出手段６、入力手段７、ＲＧＢ（赤・緑・青）変換手段８、発光強度制御手段９、発光出力手段１０、発光強度補完手段１２を備えている。尚、図１と同様の部分には同一の符号を付し説明は省略する。
【００５８】
発光強度補完手段１２は、発光強度記憶手段５から発光強度算出手段６に送られる検出値の補完をする機能を有する。ここで、発光強度補完手段１２において行われる補完についての説明をする。
【００５９】
図９は、発光強度補完手段１２において行われる補完についての説明をするための模式グラフ図である。図９（ａ）の模式グラフ図は、右端の発光体の点灯タイミングを示している。図９（ｂ）の模式グラフ図は、左端の発光体の点灯タイミングを示している。図９（ｃ）の模式グラフ図は、発光強度検出手段２による発光強度の検出値である。この検出値は、左右の発光体の発光強度の合算値に対応し、表示画面の発光強度に対応する。図６（ｄ）の模式グラフ図は、右端の発光体の発光強度を示している。図６（ｅ）の模式グラフ図は、補完後の右端の発光体の発光強度を示している。
【００６０】
図６及び図７に関して前述した具体例においては、検出する区間を４区間（Ｌ１〜Ｌ４）としたが、図８に関して説明する具体例においては、２区間（Ｌ１、Ｌ４）の検出値を検出し、残りの２区間（Ｌ２、Ｌ３）の検出値を補完して全体の発光強度を求めるようにしたものである。
【００６１】
すなわち、図９（ｄ）に示した２区間（Ｌ１、Ｌ４）の検出値を、図９（ｅ）に示したような直線で結び、検出値間の値を補完をすることができる。尚、説明の便宜上、右端の発光体の場合で説明したが左端の発光体の場合も同様である。また、選択する区間の位置や数なども適宜変更することが可能である。また、発光体の発光強度の減衰が非線形である場合には、測定点を適宜増やしてこれら測定点間を直線で補完したり、曲線で近似することができる。
【００６２】
このようにすれば、検出に必要な区間数を減少させることができるので、発光強度の低下をさらに抑制できる。例えば、図６及び図７に関して前述した区間Ｌ１〜Ｌ４のうちで、区画Ｌ１と区間Ｌ４において図９に関して前述したようにして検出を実行し、区間Ｌ２と区間Ｌ３においては、発光強度の検出をせずに左右の発光体を連続的に発光させることができる。このようにすれば、発光強度の検出のために画面が暗くなる問題を低減できる。
【００６３】
次に、図８に戻って色度・輝度調整手段１１の作用を説明する。まず、入力手段７に、色度図座標Cx、Cyおよび輝度Ｙが制御指令値として入力される。入力された色度図座標Cx、Cyおよび輝度Ｙの制御指令値は、ＲＧＢ（赤・緑・青）変換手段８に送られる。
【００６４】
次に、ＲＧＢ（赤・緑・青）変換手段８において、送られてきた色度図座標Cx、Cyおよび輝度Ｙの制御指令値が、前述の（１）〜（３）の式に基づき、Ｒ（赤）、Ｇ（緑）、Ｂ（青）の各輝度指令値へ変換される。
【００６５】
一方、発光時間指定手段４からの情報に基づき、発光強度制御手段９は指定された発光体の点灯または消灯を行う。この時の発光体の点灯または消灯のタイミングや時間の長さなどは図９に関して前述した如くである。
【００６６】
このようにして点灯された発光体の発光強度が発光強度検出手段２によりが検出される。尚、検出はＲ（赤）、Ｇ（緑）、Ｂ（青）毎に行われる。  
次に、検出した検出値はＡ／Ｄ変換手段３に送られ、デジタル信号に変換される。
【００６７】
デジタル信号に変換された検出値は、検出対象発光体の情報として点灯または消灯のタイミングや時間の長さとともに発光強度記憶手段５に記憶される。尚、検出値以外の情報は発光時間指定手段４から送られてくる。
【００６８】
１回の検出が終了すると、発光強度記憶手段５に記憶されていた情報が発光強度補完手段１２に送られる。発光強度補完手段１２より、前述した検出値間の値の補完が行われる。
尚、点灯または消灯のタイミング、時間の長さ、選択する区間の位置などの情報は発光時間指定手段４から送られてくる。検出値と補完により求められた値は、発光強度算出手段６に送られる。
【００６９】
発光強度算出手段６において、入力された値に基づき算出することにより、各発光体毎あるいは所望の領域毎の発光強度が求められる。求められた発光強度は、発光強度制御手段９に送られる。
【００７０】
発光強度制御手段９において、ＲＧＢ（赤・緑・青）変換手段８により変換された輝度指令値と、発光強度算出手段６から送られてきた値とが比較され、この値が輝度指令値に近づくよう発光体への出力が制御される。この時、発光強度検出手段２により発光体の各輝度を再度検出して、前述の手順を繰り返す様にすることも出来る。そのようにすれば、調整の精度を高くすることができる。
【００７１】
図１０は、本発明の第３の実施形態に係る表示装置の輝度調整手段を説明するための模式図である。図１０については、図１〜図９に関して前述したものと同様の要素には同一の符号を付して詳細な説明は省略する。  
図１０に示すように、輝度調整手段１３は、発光強度検出手段１４、Ａ／Ｄ（Analog/Digital）変換手段３、発光時間指定手段４、発光強度記憶手段５、発光強度算出手段６、入力手段７、発光強度制御手段９、発光出力手段１０、発光強度補完手段１２を備えている。
【００７２】
図８に関して前述した色度・輝度調整手段１１は、Ｒ（赤）、Ｇ（緑）、Ｂ（青）３色の発光体の発光強度を個別に制御し得るものであるのに対し、本実施形態の輝度調整手段１３は、１色（例えば、白色）の発光強度を制御し得るものである。
【００７３】
発光強度検出手段１４は、その受光部に照射された光の発光強度の変化に応じた信号（輝度）を出力する。  
入力手段１５は、所望の輝度の表示をさせるために、輝度の制御指令値を入力するためのものである。入力された輝度の制御指令値は、発光強度制御手段９に送られる。尚、入力は、使用者が手動で行うものであっても、図示しない指令手段から自動的に送信されてくるようなものであってもよい。
【００７４】
また、発光強度補完手段１２は必ずしも必要ではなく、この部分の構成を図１に示したものにすることもできる。  
輝度調整手段１３の作用は、入力手段１５に入力された輝度の制御指令値をそのまま発光強度制御手段９に送る他は、色度・輝度調整手段１１とほぼ同様であるため説明は省略する。
【００７５】
図１１は、本発明の第４の実施形態にかかる表示装置を例示するための模式図である。
図１１に示すように、直下型バックライト２６には、Ｒ（赤）の発光ダイオード２７Ｒ、Ｇ（緑）の発光ダイオード２７Ｇ、Ｂ（青）の発光ダイオード２７Ｂが設けられている。また、発光強度検出手段２が、各発光体からの光を検出可能な場所に設けられている。
【００７６】
このような構成において、特定の発光ダイオード２７ａの発光強度を検出する場合を説明すると、発光ダイオード２７ａとその他の発光ダイオード郡との対比において、前述の発光強度の検出を行えばよい。すなわち、発光ダイオード２７ａとその他の発光ダイオード郡とを交互に点灯、消灯させて前述の発光強度の検出を行えばよい。
【００７７】
この時、検出対象となる発光ダイオードは単独のものに限られず、中央部、左端部というように所望の領域とすることもできる。また、Ｒ（赤）の発光ダイオード２７Ｒのみ、一つおきなどのように任意の組み合わせにすることもできる。
【００７８】
以上、具体例を参照しつつ、本発明の実施の形態について説明した。しかし、本発明はこれらの具体例に限定されるものではない。
【００７９】
前述の具体例に関して、当業者が適宜設計変更を加えたものも、本発明の特徴を備えている限り、本発明の範囲に包含される。
【００８０】
例えば、本発明において用いるバックライトユニット１８、導光板２０、光源２１、ライトガイド２３、入光プリズム２４、反射板２５、発光体、液晶パネル１７、カラーフィルタ、直下型バックライト２６などの要素は、図示した形状、サイズのものには限定されず、その断面形状、寸法、材質、配置などは適宜変更しても同様の作用効果が得られ、本発明の特徴を備えている限り、本発明の範囲に包含される。
【００８１】
また、発光強度検出手段２として、Ｒ（赤）、Ｇ（緑）、Ｂ（青）の各波長領域に対して、異なる分光感度を有するもの（カラーセンサ）を例示したが、このような分光感度を有さないもの（例えば、カラーフィルタを備えていないフォトダイオードなど）を用いることもできる。ただし、各色の境目におけるセンサ感度を考慮すれば、分光感度を有するもの（カラーセンサなど）を用いることが好ましい。
【００８２】
また、表示装置の例として液晶表示装置を説明したが、これに限られるわけではなく、複数の発光体を備える表示装置に広く適応が可能である。
【００８３】
また、発光体として発光ダイオードを例にとって説明したが、これに限られるわけではなく、冷陰極管、有機ＥＬ（Electro Luminescence）、無機ＥＬ（Electro Luminescence）などとしてもよい。ただし、点灯時間を分割する数を多くするためには、高周波にも応答できる発光体であることが好ましく、これらの中では発光ダイオードとすることがより好ましい。
【図面の簡単な説明】
【００８４】
【図１】第１の実施形態に係る表示装置の色度・輝度調整手段を説明するための構成図である。
【図２】図１に例示した色度・輝度調整手段１を設けることができる表示装置を表す模式図である。
【図３】左右両端に設けられた発光体を同時に点灯させる場合の発光強度の検出値を説明する模式図である。
【図４】本実施形態の第１の具体例を例示するための模式グラフ図である。
【図５】発光体の発光強度の減衰がない場合を例示する模式グラフ図である。
【図６】本発明の第２の具体例を説明するための模式グラフ図である。
【図７】本発明の第２の具体例を説明するための模式グラフ図である。
【図８】本発明の第２の実施形態に係る表示装置の色度・輝度調整手段を説明するための構成図である。
【図９】発光強度補完手段１２において行われる補完についての説明をするための模式図である。
【図１０】本発明の第３の実施形態に係る表示装置の輝度調整手段を説明するための模式図である。
【図１１】本発明の第４の実施形態にかかる表示装置を例示するための模式図である。
【符号の説明】
【００８５】
１ 色度・輝度調整手段、 ２ 発光強度検出手段、  ３ Ａ／Ｄ変換手段、  ４ 発光時間指定手段、  ５ 発光強度記憶手段、  ６ 発光強度算出手段、  ７ 入力手段、  ８ ＲＧＢ（赤・緑・青）変換手段８、  ９ 発光強度制御手段、 １０ 発光出力手段、 １１ 色度・輝度調整手段、 １２ 発光強度補完手段、 １３ 輝度調整手段、 １４ 発光強度検出手段、 １５ 入力手段、 １６ 液晶表示装置、 １７ 液晶パネル、 １８ バックライトユニット、 ２０ 導光板、 ２１ 光源、２２ 発光ダイオード（発光体）、  ２３ ライトガイド、 ２４ 入光プリズム、 ２５ 反射板、 ２６ 直下型バックライト、 ２７Ｂ 発光ダイオード、 ２７Ｇ 発光ダイオード、 ２７Ｒ 発光ダイオード、 ２７ａ 発光ダイオード 
【図１】
2008046375.tif 000006
【図２】
2008046375.tif 000007
【図３】
2008046375.tif 000008
【図４】
2008046375.tif 000009
【図５】
2008046375.tif 000010
【図６】
2008046375.tif 000011
【図７】
2008046375.tif 000012
【図８】
2008046375.tif 000013
【図９】
2008046375.tif 000014
【図１０】
2008046375.tif 000015
【図１１】
2008046375.tif 000016